(57)【特許請求の範囲】
【請求項１】
薄板と、前記薄板の少なくとも側部を覆っているケースと、からなる筐体であって、
前記薄板には、該薄板の端部の一部が部分的に重なるように折り畳まれ、折り畳まれた部分に、前記折り畳まれた部分を貫通する穴が設けられて形成されている、外部取付け体を支持するための支持部が設けられており、
前記ケースには、開口が設けられており、
前記薄板の前記支持部が前記ケースの前記開口から露出している、筐体。
【請求項２】
前記支持部において、前記薄板が奇数回重なるように折り畳まれている、請求項１に記載の筐体。
【請求項３】
前記薄板は、前記ケースにインサート成形されている、請求項１または２に記載の筐体。
【請求項４】
前記薄板はステンレス鋼で形成されている、請求項１から３のいずれか１項に記載の筐体。
【請求項５】
前記ケースは樹脂材料で形成されている、請求項１から４のいずれか１項に記載の筐体。
【請求項６】
前記筐体は、携帯機器の一部を構成している、請求項１から５のいずれか１項に記載の筐体。
【請求項７】
前記支持部はストラップを支持するためのものである、請求項１から６のいずれか１項に記載の筐体。
【請求項８】
薄板と、前記薄板の少なくとも側部を覆っているケースと、からなる筐体の製造方法であって、
前記薄板の端部の一部を部分的に重なるように折り畳むステップと
前記薄板の折り畳んだ部分を貫通する穴を開けるステップと、
前記薄板の前記折り畳まれた部分を金型で覆った状態で前記薄板をケースにインサート成形するステップと、
を有する、筐体の製造方法。
【請求項９】
前記ケースの材料として樹脂を用いる、請求項８に記載の筐体の製造方法。
【請求項１０】
前記薄板の端部を折り畳むステップでは、曲げ加工で前記薄板を折り畳み、
前記折り畳んだ部分に穴をあけるステップでは、穴抜き加工で穴を開ける、請求項８または９に記載の筐体の製造方法。
【発明の詳細な説明】
【技術分野】
【０００１】
本発明は、携帯機器の筐体、特にストラップを取り付けることができる携帯機器の筐体に関する。
【背景技術】
【０００２】
携帯電話機や携帯ゲーム機などの携帯機器が広く普及している。ユーザは、これらの携帯機器にストラップを取り付けることで個性を出したり、自分の携帯機器と他のユーザの携帯機器とを混同しないように差別化を図ったりしている。
【０００３】
携帯機器の筐体は、金属の薄板がケースにインサート成形された構成が一般的である。そして、この筐体に、ストラップなどの外部取付け体を支持する、ストラップ支持部が設けられている。
【０００４】
筐体にストラップ支持部を設けるための関連技術の一例として、ケースや薄板とは別の部材をストラップ支持部として筐体に取り付ける方法がある（例えば特許文献１）。図５に示すように、携帯機器の筐体のケース１３の一部にストラップ用溝１４が設けられ、その溝１４内に、ケース１３と不図示の薄板以外の部材として、ストラップ用ピン１５がインサート成形によって設けられている。このストラップ用ピン１５がストラップ支持部となっている。
【０００５】
関連技術の他の一例では、ストラップ支持部として、薄板とケース以外の他の部材を使用せずに、ストラップ支持部を筐体に設ける方法がある。例えば、図６に示すように、隣接し、かつ筐体内部で繋がっている２つのストラップ用穴１１をケース１３に設け、このストラップ用穴１１同士の間のストラップ取り付け用柱１２を、ストラップ支持部としている。
【先行技術文献】
【特許文献】
【０００６】
【特許文献１】特開平１０−２０９６４７号公報
【発明の概要】
【発明が解決しようとする課題】
【０００７】
しかしながら、特許文献１のように、携帯機器の筐体のケース１３に別部材（例えばストラップ用ピン１５）をインサート成形して、ストラップ支持部を形成する場合、ストラップ支持部用の別部材を必要とするため、製造コストや製造工程を減らすことが困難である。
【０００８】
また、ケース１３は一般的に樹脂材料で形成される。そのため、ケース１３の一部に筐体内部で繋がっている２つのストラップ用穴１１を設けて、ストラップ用穴１１同士の間にストラップ取り付け用柱１２を形成する場合、ストラップ取り付け用柱１２の強度があまり大きくない。したがって、例えば、子供がストラップをストラップ取り付け用柱１２に取り付けた状態でストラップや携帯機器を振り回したときにストラップ取り付け用柱１２が壊れてしまう可能性や、携帯機器を落としたりぶつけたりしたときにストラップ取り付け用柱１２が壊れてしまう可能性がある。
【０００９】
本発明の目的は、低コストかつ簡便な手法で、高い強度を有するストラップ支持部を設けることは困難である、という課題を解決する携帯機器の筐体を提供することである。
【課題を解決するための手段】
【００１０】
本発明の筐体は、薄板と、薄板の少なくとも側部を覆っているケースと、からなる。薄板には、該薄板の端部の一部が部分的に重なるように折り畳まれ、折り畳まれた部分に、折り畳まれた部分を貫通する穴が設けられて形成されている、外部取付け体を支持するための支持部が設けられている。また、ケースには、開口が設けられており、薄板の支持部がケースの開口から露出している。
【発明の効果】
【００１１】
本発明によると、大幅なコスト増加や製造工程の増加をすることなく、高い強度を有する支持部を筐体に設けることができる。
【図面の簡単な説明】
【００１２】
【図１】本発明に係る携帯機器の筐体の一実施形態の概略構成図であり、（ａ）は筐体の外観斜視図、（ｂ）は要部の拡大概略図である。
【図２】図１（ａ）のＡＡ’断面の概略図である。
【図３】薄板のストラップ支持部の拡大概略図である。
【図４】薄板の上面図である。
【図５】関連技術の一例の携帯機器の要部の拡大概略図である。
【図６】関連技術の他の一例の携帯機器の要部の拡大概略図である。
【発明を実施するための形態】
【００１３】
以下に、添付の図面に基づき、本発明の実施の形態を説明する。なお、同一の機能を有する構成には添付図面中、同一の番号を付与し、その説明を省略することがある。
【００１４】
図１は、本発明に係る携帯機器の筐体の一実施形態の要部の外観概略図であり、（ａ）は筐体の外観斜視図、（ｂ）は要部の拡大概略図である。
【００１５】
本発明の携帯機器の一部を構成する筐体５は、薄板２が樹脂材料などからなるケース１にインサート成形されている。また、ケース１の一部には、不図示のストラップなどの外部取付け体を支持するための、後述するストラップ支持部４を外部に露出させるための開口部３が設けられており、開口部３にストラップ支持部４が配置されている。
【００１６】
図２は、図１（ａ）のＡＡ’断面の概略図であり、図３は、薄板２のストラップ支持部４の拡大概略図であり、図４は、薄板２の上面図である。図３および図４では、薄板２のみを図示し、ケース１は図示していない。
【００１７】
関連技術と同様に、薄板２は、携帯機器の筐体の強度を向上させるために、ケース１にインサート成形されるものである。そのため、薄板２には、強度のある金属、例えば、ステンレス鋼が用いられる。また、薄板２の外周部は、携帯機器の筐体５の形状に合わせて、同じ方向に９０°曲げられ、側壁２’を形成している。
【００１８】
そして本発明では、この側壁２’の先端から切り込み６が２箇所に入れられ、その切り込み６に挟まれた部分に、ストラップなどの外部取付け体を支持するためのストラップ支持部４が形成されている。より具体的には、切り込み６同士の間の側壁２’が、曲げ加工により一部が部分的に外部に突出するように折りたたまれており、その折りたたまれた部分に、穴抜き加工でストラップ挿入用の貫通した穴であるストラップ挿入口７が設けられることで、ストラップ支持部４が形成されている。このように、薄板２を用いてストラップ支持部４が形成されるため、特許文献１で示される関連技術の一例のように、ストラップ支持部として筐体を構成する薄板とケース以外に、ストラップ支持部用ピン１５をインサート成形する必要がない。なお、折り畳む回数を奇数にすることで、薄板２の側壁２’のストラップ支持部４として利用した部分の先端部分を、薄板２の側壁２’として利用できるため、筐体の強度をより向上させることができる。
【００１９】
次に、本発明の携帯機器の筐体５の製造方法の一例を説明する。
【００２０】
プレス加工などで筐体５の形状に成形された薄板２の側壁２’に２箇所の切り込み６を入れる。そして、切り込みに挟まれた部分の側壁２’の一部が外部に突出するように、曲げ加工により折りたたむ。このとき、ストラップ支持部４が所望の強度になるように、２重以上に折り畳んでもよい。そして、側壁２’を折り畳んで突出させた部分に、穴抜き加工でストラップ挿入口７を形成し、ストラップ支持部４が出来上がる。
【００２１】
つぎに、インサート成形の際に、ストラップ支持部４が樹脂材料などからなるケース１に覆われてしまわないように、ストラップ支持部４を金型で覆った状態で薄板２をケース１にインサート成形する。このようにすることで、ストラップ支持部４がケース１に覆われないとともに、ケース１にはストラップ支持部４を外部に露出させるための開口部３が形成される。
【００２２】
このようにして、携帯機器の筐体５が形成される。なお、上記の製造方法は一例であって、薄板２を加工することで、薄板２の外壁２’の一部を折り畳んでストラップ支持部４を形成することができれば、いずれの方法で製造されても構わない。この筐体５内に様々な電子部品や機械部品が配置され、図示しない他の筐体とヒンジ結合されることによって、開閉可能な折り畳み式の携帯電話などの携帯機器が形成される。
【００２３】
本発明の携帯機器の筐体５のストラップ支持部４は、筐体５の強度を向上させるために用いる薄板２によって形成されているので、高い強度を有している。また、薄板２を用いてストラップ支持部を形成するために、特許文献１の関連技術のように、薄板とケース以外の他の部材を用いる必要がない。さらに、薄板２を成形するプレス工程内で曲げ加工や穴抜き加工などができるため、製造工程が大きく増えてしまうこともない。
【００２４】
なお、携帯機器は、ゲーム機、携帯電話機、ＰＤＡ（Ｐｅｒｓｏｎａｌ  Ｄｉｇｉｔａｌ  Ａｓｓｉｓｔａｎｔ）、またはデジタルカメラなど、外部取付け体を支持するための支持部が必要な機器であるならばいずれでも構わない。また、ストラップ支持部が支持する外部取付け体はストラップに限定されず、また、必要に応じてストラップ支持部を利用すればよい。
【符号の説明】
【００２５】
１  ケース
２  薄板
２’外壁
３  開口部
４  ストラップ支持部
５  筐体
６  切り込み
７  ストラップ挿入口
１１ストラップ用穴
１２ストラップ取り付け用柱
１３ケース
１４ストラップ用溝
１５ストラップ用ピン
【図１】
0005455235.tif 000002
【図２】
0005455235.tif 000003
【図３】
0005455235.tif 000004
【図４】
0005455235.tif 000005
【図５】
0005455235.tif 000006
【図６】
0005455235.tif 000007